(57)【要約】【課題】所望の映像入力機器への切り換えが容易であり、ユーザビリティを向上可能な表示装置、テレビ受信装置及び表示方法を提供する。【解決手段】表示装置は、映像信号が入力される複数の入力部と、映像信号に基づく画像を表示する表示部と、ユーザの発話に対応する音声情報を取得する音声情報取得部と、音声情報に基づいて、複数の入力部のうちの表示対象の映像信号が入力される対象入力部を特定する特定部と、表示部に表示させる表示用の映像信号を、対象入力部から入力される映像信号に切り換える切換部と、を備えることを特徴とする。【選択図】図２
2019193134.tif 000002
【特許請求の範囲】
【請求項１】
映像信号が入力される複数の入力部と、
前記映像信号に基づく画像を表示する表示部と、
ユーザの発話に対応する音声情報を取得する音声情報取得部と、
前記音声情報に基づいて、前記複数の入力部のうちの表示対象の前記映像信号が入力される対象入力部を特定する特定部と、
前記表示部に表示させる表示用の映像信号を、前記対象入力部に入力される前記映像信号に切り換える切換部と、を備える
ことを特徴とする表示装置。
【請求項２】
請求項１に記載の表示装置において、
前記特定部は、前記複数の入力部から前記対象入力部を指示する指示語と、前記入力部とを予め対応付けている特定用データを参照し、前記音声情報に含まれる前記指示語に基づいて、前記対象入力部を特定する
ことを特徴とする表示装置。
【請求項３】
請求項２に記載の表示装置において、
前記特定部は、
前記音声情報に基づいて、前記複数のユーザから発話者を特定し、
複数のユーザのそれぞれに設けられた前記特定用データのうち前記発話者に対応する前記特定用データを参照し、前記対象入力部を特定する
ことを特徴とする表示装置。
【請求項４】
請求項２又は請求項３に記載の表示装置において、
前記入力部に接続され、前記映像信号を入力する映像入力機器の機器情報を取得し、前記機器情報に基づいて前記特定用データを更新する更新部を備える
ことを特徴とする表示装置。
【請求項５】
請求項４に記載の表示装置において、
前記更新部は、前記機器情報と前記指示語とを対応づける対応付けデータを参照して、前記特定用データを更新する
ことを特徴とする表示装置。
【請求項６】
請求項１から請求項５のいずれか１項に記載の表示装置を備えることを特徴とするテレビ受信装置。
【請求項７】
映像信号が入力される複数の入力部と、前記映像信号に基づく画像を表示する表示部と、を備える表示装置における表示方法であって、
ユーザの発話に対応する音声情報を取得し、
前記音声情報に基づいて、前記複数の入力部のうちの表示対象の前記映像信号が入力される対象入力部を特定し、
特定結果に基づいて、前記表示部に表示させる表示用の映像信号を、前記対象入力部に入力される前記映像信号に切り換える
ことを特徴とする表示方法。
【発明の詳細な説明】
【技術分野】
【０００１】
本発明は、表示装置、テレビ受信装置及び表示方法に関し、詳しくは、複数の映像信号のうち所望の映像信号への入力切換を行う技術に関する。
【背景技術】
【０００２】
表示装置として、映像信号を入力する複数の映像入力機器が同時に接続され、これら複数の映像入力機器を切り換え可能な表示装置が知られている（例えば特許文献１参照）。ユーザは、表示装置に、レコーダ及びゲーム機器や、ＶＯＤ（Video On Demand）再生用
の機器（以下、ＶＯＤ機器とも称す）といった各種の映像入力機器との接続を切り換えることにより、様々なコンテンツを視聴できる。
【０００３】
特許文献１に記載の装置は、複数の映像入力機器を切り換える際に、映像入力機器の操作履歴である視聴時間や選択回数が多い順番に映像入力機器を切り換え可能に構成されている。特許文献１では、ユーザの使用頻度が高い順に映像入力機器を切り換えることにより、所望の映像入力機器への切り換え時間の短縮を図っている。
【先行技術文献】
【特許文献】
【０００４】
【特許文献１】特開２００５−２４４７８５号公報
【発明の概要】
【発明が解決しようとする課題】
【０００５】
しかしながら、複数の映像入力機器を切り換える操作には改善の余地があった。例えば、所望の映像入力機器が、使用頻度が低い映像入力機器である場合がある。この場合、特許文献１に記載の従来技術では、所望の映像入力機器に切り換えるために、切り換える操作を何度も実施しなければならず、ユーザビリティが低下するおそれがあった。
【０００６】
また、ユーザにリモコン等を操作させ、映像入力機器一覧から所望の映像入力機器を選択させ、入力の切り換えを行わせる場合がある。この際に、入力一覧に、「入力１」「入力２」のように入力端子に対応する形式的な名称や、機器の型番等が表示されていると、ユーザは、所望の映像入力機器を把握するのが容易ではない。このため、ユーザは、入力切換を直感的に行なえず、やはりユーザビリティが低下するおそれがあった。
【０００７】
本発明は、上記問題点に鑑みなされ、所望の映像入力機器への切り換えが容易であり、ユーザビリティを向上可能な表示装置、テレビ受信装置及び表示方法を提供することを一つの目的とする。
【課題を解決するための手段】
【０００８】
本発明に係る表示装置は、映像信号が入力される複数の入力部と、前記映像信号に基づく画像を表示する表示部と、ユーザの発話に対応する音声情報を取得する音声情報取得部と、前記音声情報に基づいて、前記複数の入力部のうちの表示対象の前記映像信号が入力される対象入力部を特定する特定部と、前記表示部に表示させる表示用の映像信号を、前記対象入力部に入力される前記映像信号に切り換える切換部と、を備えることを特徴とする。
【０００９】
本発明に係る表示装置は、音声情報に基づいて、複数の入力部から対象入力部を特定し、特定結果に基づいて映像信号を切り換える。これにより、複数の映像信号が入力可能に
構成された表示装置において、ユーザが視聴を希望する映像に対応する映像信号への切り換えを容易とすることができ、ユーザビリティを向上できる。
【００１０】
本発明に係る表示装置は、前記特定部は、前記複数の入力部から前記対象入力部を指示する指示語と、前記入力部とを予め対応付けている特定用データを参照し、前記音声情報に含まれる前記指示語に基づいて、前記対象入力部を特定することを特徴とする。
【００１１】
本発明に係る表示装置は、予め用意された特定用データを参照することにより、音声情報に含まれる指示語に対応する入力部を対象入力部として特定することができる。これにより、複数の入力部から対象入力部を特定する際の処理負荷の増大を抑制できるため、処理速度の向上、ひいてはユーザビリティの向上を図ることができる。
【００１２】
本発明に係る表示装置は、前記特定部は、前記音声情報に基づいて、前記複数のユーザから発話者を特定し、複数のユーザのそれぞれに設けられた前記特定用データのうち前記発話者に対応する前記特定用データを参照し、前記対象入力部を特定することを特徴とする。
【００１３】
本発明に係る表示装置は、音声情報に基づいて、複数のユーザから発話者を特定し、各ユーザに設けられた特定用データを参照して、対象入力部を特定する。これにより、複数のユーザで表示装置を使用する場合でも、ユーザに応じて適切な入力切換を実施することができ、ユーザビリティを向上できる。
【００１４】
本発明に係る表示装置は、前記入力部に接続され、前記映像信号を入力する映像入力機器の機器情報を取得し、前記機器情報に基づいて前記特定用データを更新する更新部を備えることを特徴とする。
【００１５】
本発明に係る表示装置は、新たな映像入力機器が接続された場合でも、映像入力機器の機器情報を取得して、機器情報に応じて特定用データを更新することができる。
【００１６】
本発明に係る表示装置は、前記更新部は、前記機器情報と前記指示語とを対応づける対応付けデータを参照して、前記特定用データを更新することを特徴とする。
【００１７】
本発明に係る表示装置は、対応付けデータを参照することにより、機器情報に対応する指示語を取得できる。したがって、指示語を手動で入力することなく特定用データを更新することができ、ユーザビリティを向上できる。
【００１８】
本発明に係るテレビ受信装置は、上記本発明に係る表示装置を備えることを特徴とする。
【００１９】
本発明に係るテレビ受信装置は、上記表示装置に係る発明と同様に、複数の入力部のうち、ユーザの音声指示を含む音声情報に基づいて対象入力部を特定し、特定結果に基づいて映像信号を切り換える。これにより、複数の映像信号のうちのユーザが視聴を希望する映像に対応する映像信号への切り換えを容易とすることができ、ユーザビリティを向上できる。
【００２０】
本発明に係る表示方法は、映像信号が入力される複数の入力部と、前記映像信号に基づく画像を表示する表示部と、を備える表示装置における表示方法であって、ユーザの発話に対応する音声情報を取得し、前記音声情報に基づいて、前記複数の入力部のうちの表示対象の前記映像信号が入力される対象入力部を特定し、特定結果に基づいて、前記表示部に表示させる表示用の映像信号を、前記対象入力部に入力される前記映像信号に切り換え
ることを特徴とする。
【００２１】
本発明に係る表示方法は、上記表示装置に係る発明と同様に、複数の入力部のうち、ユーザの音声指示を含む音声情報に基づいて対象入力部を特定し、特定結果に基づいて映像信号を切り換える。これにより、複数の映像信号のうちのユーザが視聴を希望する映像に対応する映像信号への切り換えを容易とすることができ、ユーザビリティを向上できる。
【発明の効果】
【００２２】
本発明に係る表示装置、テレビ受信装置及び表示方法によれば、複数の映像信号のうちのユーザが視聴を希望する映像に対応する映像信号への切り換えを容易とすることができ、ユーザビリティを向上できる。
【図面の簡単な説明】
【００２３】
【図１】本発明の実施例１に係る表示装置を含む表示システムの一例を示す概略構成図である。
【図２】本発明の実施例１に係る表示装置の一例を示すブロック図である。
【図３】本発明の実施例１に係る特定用データベースの一例を示す説明図である。
【図４】本発明の実施例１に係る切換処理の一例を示すフローチャートである。
【図５】本発明の実施例１に係る音声切換機能の設定処理の一例を示すフローチャートである。
【図６】本発明の実施例１に係る音声切換機能の設定画面の一例を模式的に示す図である。
【図７】本発明の実施例１に係るユーザ設定処理の一例を示すフローチャートである。
【図８】本発明の実施例１に係るユーザ設定処理の設定画面の一例を模式的に示す図である。
【図９】本発明の実施例２に係る表示装置を模式的に示す概略構成図である。
【図１０】本発明の実施例３に係るユーザ設定処理の設定画面の一例を模式的に示す図である。
【図１１】本発明の実施例４に係るユーザ設定処理の設定画面の一例を模式的に示す図である。
【図１２】本発明の実施例５に係る表示装置を含む表示システムの一例を示す概略構成図である。
【発明を実施するための形態】
【００２４】
本発明の表示装置、テレビ受信装置及び表示方法は、複数の映像入力機器が接続され、複数の入力信号の何れかに基づく映像を表示する表示装置において、ユーザによる入力切換の手間を軽減でき、ユーザビリティを向上できることを最大の特徴とする。以下、本発明に係る実施例を図面に基づいて説明する。
なお、後述する実施例で示される表示装置の全体形状及び各部の形状、並びに、表示装置における表示方法は、下記に述べる実施例に限定されるものではなく、本発明の技術的思想の範囲内、即ち、同一の作用効果を発揮できる形状及び寸法の範囲内で変更することができるものである。
【００２５】
［実施例１］
（表示システムの構成）
実施例１について図１から図８を用いて説明する。
図１は、表示装置１を含む表示システムを示す概略構成図である。また、図２は、表示装置１の概略構成を示すブロック図である。
表示装置１は、ネットワーク７を介してスマートスピーカ２及び対応付けサーバ３と接
続されている。表示装置１は、映像信号を入力する映像入力機器４が複数接続されている。表示装置１は、ユーザの音声による入力切換指示に対応する音声情報を、スマートスピーカ２を介して取得し、当該音声情報に基づいて、複数の映像入力機器４からの入力切換を実施する。
【００２６】
スマートスピーカ２は、図示を省略するが、マイクを備え、ユーザの発話に応じた音声情報を生成する。
対応付けサーバ３は、対応付けデータベース３０を有する。後に詳述するが、対応付けサーバ３は、表示装置１からの要求に応じて、対応付けデータベース３０を参照して対応付けデータを送信する。
【００２７】
（表示装置の構成）
表示装置１は、表示部１１と、通信部１２と、記憶部１３と、入力部１４と、制御部１５と、チューナ１６と、デコーダ１７と、を備える。表示装置１は、ＲＦ（Radio Frequency）端子、ＨＤＭＩ（High-Definition Multimedia Interface、登録商標）端子、ＵＳ
Ｂ（Universal Serial Bus）端子、及びＲＣＡ端子等の各種の入力端子を介して映像入力機器４と接続される。
【００２８】
表示部１１は、制御部１５の制御に基づいて、入力信号（映像信号）に基づく映像を表示する。表示部１１は、例えば液晶、有機ＥＬ（Organic Electro-Luminescence）、及びマイクロＬＥＤ（Light Emitting Diode）等の各種方式の表示パネルを含み構成される。
通信部１２は、ネットワーク７を介して接続されている通信機器（例えばスマートスピーカ２や対応付けサーバ３）と通信する。
【００２９】
記憶部１３は、磁気ディスク、ＲＡＭ（Random Access Memory）、及びフラッシュメモリ等を含み構成され、表示装置１の制御に必要な各種データやプログラム等を記憶する。記憶部１３は、図２に示すように、特定用データベース１３０を記憶している。特定用データベース１３０は、後に詳述するが、音声情報に基づいて入力切換を行う際に、切り換え先の特定のために参照される。特定用データベース１３０は、本発明の特定用データに相当する。
【００３０】
入力部１４は、映像入力機器４からの映像信号が直接入力される。または、入力部１４は、チューナ１６やデコーダ１７等の機器を介して映像入力機器４に接続され、映像信号が入力される。なお、映像信号は、動画及び静止画を含む画像を表示させるための画像情報を含み、さらに音声情報を含んでもよい。入力部１４は、映像入力機器４からの映像信号が直接入力される。
【００３１】
入力部１４は、第１〜第５入力部１４１〜１４５を含む。図２に示すように、第１入力部１４１は、テレビ放送波を受信するためのアンテナがチューナ１６を介して接続される。アンテナの受信信号はチューナ１６によって映像信号に変換され、第１入力部１４１に入力される。また、第２入力部１４２は、ＶＯＤコンテンツの再生に用いられるＶＯＤ機器が接続されている。また、第３入力部１４３は、レコーダが接続される。また、第４入力部１４４は、ゲーム機が接続されている。第５入力部１４５は、録画再生用の記憶デバイスとして、ＵＳＢ端子を介して接続可能なＨＤＤ（Hard Disk Drive）であるＵＳＢ−
ＨＤＤが、デコーダ１７を介して接続され、ＵＳＢ−ＨＤＤに記録されたコンテンツに係る映像信号が入力される。なお、第１〜第５入力部１４１〜１４５に接続された映像入力機器４は一例である。
【００３２】
制御部１５は、例えば、ＣＰＵ（Central Processing Unit）、ＲＯＭ（Read Only Memory）、ＲＡＭを含み構成され、表示装置１を制御する。制御部１５は、各種の制御用プ
ログラムを実行し、表示制御部１５１と、音声情報取得部１５２と、特定部１５３と、切換部１５４と、更新部１５５と、設定部１５６として機能する。
【００３３】
表示制御部１５１は、映像信号に基づく映像を表示部１１に表示させる。
音声情報取得部１５２は、スマートスピーカ２が生成した音声情報を、ネットワーク７を介して取得する。
【００３４】
特定部１５３は、音声情報に基づいて、切り換え対象の入力を特定する。特定部１５３は、音声情報に基づいて発話者を特定する。また、特定部１５３は、特定用データベース１３０を参照し、切り換え先の入力部１４（切り換え対象の映像入力機器４）を特定する。
【００３５】
切換部１５４は、特定部１５３によって特定された切り換え先に入力を切り換える。
更新部１５５は、映像信号を入力する映像入力機器４の機器情報を取得し、機器情報に基づいて特定用データベース１３０を更新する特定用データベース１３０を更新する。また、更新部１５５は、対応付けサーバ３が記憶する対応付けデータベース３０を参照して、特定用データベース１３０を更新する。
設定部１５６は、切換機能についての各種設定を行う切換機能設定処理を行う。
【００３６】
（特定用データベースの構成）
図３は、特定用データベースの一例を示す図である。
特定用データベース１３０は、ユーザ毎に、入力部名１３１と、入力名１３２と、指示ワード１３３と、機器情報１３４と、履歴情報１３５と、を対応付けている。
入力部名１３１には、各入力部１４１〜１４５のそれぞれが登録されている。
【００３７】
入力名１３２は、映像入力機器４の種別や、映像入力機器４が接続されている入力部１４の種別を示す名称である。映像入力機器４の種別を示す名称の登録例として、テレビ放送受信用のアンテナが接続された第１入力部１４１について、入力名１３２として「ＴＶ」が登録されている。
また、ＶＯＤ機器が接続された第２入力部１４２について、入力名１３２として「ＶＯＤ」が登録されている。また、入力部１４の種別とは、例えば対応する入力端子の種別（ＨＤＭＩ端子、ＲＣＡ端子、デジタル入力端子、アナログ入力端子等）である。本実施例では、ＨＤＭＩ入力端子に対応する第３入力部１４３及び第４入力部１４４には、入力名１３２として、それぞれ「ＨＤＭＩ１」及び「ＨＤＭＩ２」が登録されている。
【００３８】
指示ワード１３３は、本発明の指示語に相当し、複数の入力部１４のうちの切り換え対象の入力部（対象入力部）を指示する。指示ワード１３３は、複数の語を登録可能である。なお、指示ワード１３３は、異なる入力部に対して同一の語を登録することはできない。
機器情報１３４は、接続されている映像入力機器を識別する情報であり、例えば機器の名称や型番である。
【００３９】
履歴情報１３５は、ユーザによる各映像入力機器の使用頻度を示す情報であり、本実施例では、入力を切り換えた回数（切換回数）の蓄積値である。なお、履歴情報として、切り換えた頻度を示す切換回数を例示しているが、過去一週間等の所定期間における切換回数の蓄積値でもよい。また、履歴情報として、総視聴時間を蓄積してもよい。
【００４０】
（表示装置による音声切換方法）
表示装置１は、ユーザの音声による指示に基づく音声情報を取得し、当該音声情報に基づいて入力の切り換えを行うことができる。
以下、表示装置１による音声切換機能として、入力の切り換えを行う切換処理と、切換機能についての各種設定を行う切換機能設定処理と、について説明する。
【００４１】
（切換処理）
図４は、表示装置１による切換処理の一例を示すフローチャートである。
切換処理では、ネットワーク７を介して接続されたスマートスピーカ２を介して取得した音声情報に基づいて入力切換を行う。本実施例では、特定の映像入力機器を示す指示ワードに基づく入力切換と、履歴情報に基づく入力切換を指示する指示ワードに基づく入力切換とのいずれかの切換処理が実施される。ユーザは、所望の映像入力機器を示す指示ワードを、スマートスピーカ２に向かって発話することにより、音声指示による入力切換を実施できる。図１に示す例では、ユーザは、「ゲーム機」に対応する指示ワードとして「ゲーム」を発話している。これにより、第４入力部１４４に接続された「ゲーム機」に入力が切り換えられる。以下、切換処理について詳細に説明する。
【００４２】
図４に示すように、表示装置１の音声情報取得部１５２は、ユーザの発話に対応する音声情報を、通信可能に接続された音声入力機器であるスマートスピーカ２を介して取得する（ステップＳ１）。音声情報は、指示ワードを示すテキストデータや、ユーザの発話を録音した音声データ等である。また、音声情報は、複数のユーザから発話者を識別するためのユーザ識別情報を含んでいてもよい。
【００４３】
次に、特定部１５３は、音声情報に基づいて発話者を特定し、発話者が登録済みのユーザか否かを判定する（ステップＳ２）。特定部１５３は、音声情報にユーザ識別情報が含まれる場合、当該ユーザ識別情報に基づいて発話者を特定する。また、特定部１５３は、特定用データベース１３０を参照し、発話者が登録済みのユーザか否かを判定する。
なお、登録済みのユーザとは、指示ワードに応じた映像入力機器（入力部）を特定するために使用される特定用データを特定用データベース１３０に登録する等の各種ユーザ設定を実施済みのユーザである。ユーザ設定については後述する。
【００４４】
発話者が登録済みのユーザである場合（ステップＳ２；ＹＥＳ）、特定部１５３は、特定用データベース１３０を参照し、音声情報に対応する入力の有無を判定する（ステップＳ３）。
特定部１５３は、音声情報から指示ワードを抽出する。そして、特定部１５３は、特定用データベース１３０を参照し、ステップＳ２において特定されたユーザにおいて、指示ワードに対応する映像入力機器を特定する。本実施例では、指示ワードは「ゲーム」である（図１参照）。特定部１５３、特定用データベース１３０を参照し、「ゲーム」に対応する入力が、第４入力部１４４（入力名は「ＨＤＭＩ２」）に接続された「ゲーム機Ｂ」からの入力であると特定する。
換言すると、特定部１５３は、複数の入力部１４１〜１４５のうちの表示対象の映像信号が入力されている入力部、すなわち切り換え対象の入力部（以下、対象入力部とも称す）を特定する。
【００４５】
次に、図４に示すように、切換部１５４は、ステップＳ３で特定された対象入力部に入力を切り換える（ステップＳ４）。図１に例示する指示ワード「ゲーム」に対応する第４入力部１４４からの入力に切り換えられる。表示制御部１５１は、第４入力部１４４から入力される映像信号に基づく画像を表示部１１に表示させる。
【００４６】
次に、更新部１５５は、履歴情報を更新する（ステップＳ５）。更新部１５５は、特定用データベース１３０の履歴情報１３５を更新する。例えば、上述のように「ＨＤＭＩ２」に対応する第４入力部１４４に切り換えた場合、更新部１５５は、「ＨＤＭＩ２」の履歴情報１３５である切換回数に１を加算する。
【００４７】
ステップＳ５が終了した後、制御部１５は、切換処理を終了する。また、発話者が登録済みのユーザではない場合（ステップＳ２；ＮＯ）、及び、音声情報に対応する入力がない場合（ステップＳ３；ＮＯ）、制御部１５は、切換処理を終了する。
【００４８】
ここで、ステップＳ３において、指示ワードが、例えば「いつもの」等の、履歴情報に基づく切り換えを実施する旨を指示する指示ワードの場合、履歴情報に基づく切換処理を実施する。特定部１５３は、指示ワードが上記所定ワードである場合に、特定用データベース１３０の履歴情報１３５の切換回数を参照し、当該切換回数が最大の入力部１４を対象入力部であると特定する。
【００４９】
（音声切換機能の設定処理）
図５は、音声切換機能の設定処理の一例を示すフローチャートである。また、図６は、音声切換機能の設定画面の一例を模式的に示す図である。
図５に示す、音声切換機能の設定処理は、ユーザの操作に基づいて、音声切換の実施可否や、音声入力機器の設定や、各ユーザの登録情報（例えば特定用データベース）の更新等を実施する処理である。
【００５０】
設定部１５６は、音声切換機能設定の実施する旨のユーザ操作を受けつけると、図６に示す音声切換機能の設定を行うための機能設定画面５を表示させる（ステップＳ１１）。なお、表示部１１の表示画面の変更は、表示制御部１５１の処理に基づいて実施され、以下の説明においても同様である。
【００５１】
機能設定画面５は、図６に示すように、音声切換の実施の可否を設定する可否設定ボタン５１と、音声入力機器を設定する機器設定ボタン５２と、ユーザ設定の変更対象ユーザを選択するためのユーザ選択ボタン５３と、新規ユーザの追加登録を行う追加登録ボタン５４と、を含む。
【００５２】
次に、設定部１５６は、可否設定ボタン５１に対するユーザ操作に基づいて、音声切換の実施の可否を設定する（ステップＳ１２）。例えば、設定部１５６は、可否設定ボタン５１を選択可能とし、可否設定ボタン５１が選択される度に、音声切換の実施と非実施とを切り換える。図６では、可否設定ボタン５１内に「する」と表示され、音声切換を実施する状態に設定されていることが明示されている。なお、音声切換を実施しない状態に設定されている場合、例えば、可否設定ボタン５１内に「しない」と表示される。
【００５３】
次に、設定部１５６は、機器設定ボタン５２に対するユーザ操作に基づいて、音声情報を取得するために用いる音声入力機器を設定する（ステップＳ１３）。例えば、設定部１５６は、機器設定ボタン５２を選択可能とし、機器設定ボタン５２が選択されると、使用可能な音声入力機器の一覧（図示省略）を表示させる。ユーザは、当該音声入力機器の一覧から使用したい機器を選択できる。なお、使用する音声入力機器は、１つに限らず複数でもよい。
【００５４】
本実施例では、音声入力機器としてスマートスピーカ２が選択されている。図６に示すように、機器設定ボタン５２内に、スマートスピーカ２を識別可能な情報の一例として、機種名「スマートスピーカＡ」が表示されている。複数の音声入力機器が選択されている場合は、選択された全ての音声入力機器を機能設定画面５に表示しても良いし、機器設定ボタン５２を選択することにより、全ての音声入力機器を表示させるようにしてもよい。
【００５５】
次に、設定部１５６は、ユーザ操作に基づいて、ユーザ設定処理を実施する（ステップＳ１４）。ユーザ設定処理は、後に詳細に説明する。
上述の音声切換機能の設定処理において、音声切換の実施可否設定（ステップＳ１２）や、音声入力機器の設定（ステップＳ１３）や、ユーザ設定処理（ステップＳ１４）は、適宜、省略することがきる。
【００５６】
（ユーザ設定処理）
図７は、図５に示すユーザ設定処理の一例を示すフローチャートである。また、図８は、ユーザ設定処理の設定画面の一例を模式的に示す図である。
図７に示すように、ユーザ設定処理は、各ユーザの登録情報の設定処理として、例えば特定用データベースの設定処理や、履歴機能の設定処理を実施する処理である。
以下では、ユーザＡに係る設定処理について主に説明する。
【００５７】
設定部１５６は、ユーザ選択ボタン５３に対するユーザ操作に基づいて、設定対象のユーザを選択する（ステップＳ１４１）。例えば、ユーザにより図５に示す設定画面５における、ユーザＡに対応するユーザ選択ボタン５３が選択されると、設定部１５６は、設定対象のユーザとしてユーザＡを選択し、ユーザＡの個別設定画面６を表示させる。なお、追加登録ボタン５４が選択されると、設定部１５６は、新規ユーザを選択する。
【００５８】
個別設定画面６は、図８に示すように、特定用データベースの更新を指示するための更新ボタン６１と、履歴情報に基づく音声切換機能（履歴機能）を有効又は無効にする履歴可否ボタン６２と、履歴情報を削除し初期化を行うための履歴削除ボタン６３と、を含む。更新ボタン６１は、後述する自動更新を指示する自動更新ボタン６１１と、手動更新を指示する手動更新ボタン６１２と、を含む。
【００５９】
また、個別設定画面６では、表示装置１に接続された映像入力機器の機種名等の当該映像入力機器を識別するための機器情報６４が表示されている。また、個別設定画面６では、映像入力機器の機器情報６４の右側には、当該映像入力機器に対応付けられた指示ワード６５が表示されている。
【００６０】
図７に戻り、設定部１５６は、更新ボタン６１に対するユーザ操作に基づいて、特定用データベースを設定する（ステップＳ１４２）。
設定部１５６は、自動更新ボタン６１１が選択されると、特定用データベース１３０の自動更新処理を実施する。自動更新処理では、設定部１５６は、例えば、各入力部に接続されている映像入力機器から機器情報６４を取得し、更新する。次に、設定部１５６は、対応付けサーバ３から、入力部１４に接続されている各映像入力機器４の機器情報６４に対応する指示ワードを取得し、特定用データベース１３０を更新する。ここで、対応付けサーバ３は、機種情報と指示ワードとを対応付ける対応付けデータベース３０を記憶している。対応付けサーバ３は、例えば、表示装置１からの送信要求に応じて、当該表示装置１に接続された映像入力機器の機種情報と、当該機種情報に対応付けられている指示ワードと、を送信する。
【００６１】
また、設定部１５６は、手動更新ボタン６１２が選択されると、特定用データベースの手動更新処理を実施する。手動更新処理では、設定部１５６は、例えば、自動更新処理と同様に、接続されている映像入力機器から機器情報６４を取得し、更新する。次に、設定部１５６は、ユーザ操作に基づいて指示ワード６５を設定する。例えば、設定部１５６は、個別設定画面６において選択された指示ワード６５に、ユーザによるテキスト入力値を設定する。また、設定部１５６は、ユーザによる音声入力に基づいて指示ワード６５を設定してもよい。
【００６２】
次に、設定部１５６は、履歴機能の設定を行う（ステップＳ１４３）。
設定部１５６は、履歴可否ボタン６２が選択される度に、履歴情報に基づく音声切換の
実施と、非実施と、を切り換える。図８では、履歴可否ボタン６２内に「ＯＮ」と表示され、履歴情報に基づく音声切換を実施する状態に設定されていることが明示されている。なお、履歴情報に基づく音声切換を実施しない状態に設定されている場合、例えば、履歴可否ボタン６２内に「ＯＦＦ」と表示される。また、設定部１５６は、履歴削除ボタン６３が選択されると、特定用データベース１３０のユーザＡに係る履歴情報１３５を削除し初期化する。
【００６３】
（実施例１の作用効果）
表示装置１は、登録済みのユーザが指示ワードを含む音声指示を行った場合、当該音声指示に対応する音声情報に基づいて、複数の入力部１４１〜１４５から対象入力部を特定し、特定結果に基づいて映像信号を切り換える。これにより、複数の映像信号が入力可能に構成された表示装置１において、ユーザが視聴を希望する映像に対応する映像信号への切り換えを容易とすることができ、ユーザビリティを向上できる。
【００６４】
表示装置１は、予め用意された特定用データベース１３０を参照することにより、音声情報に含まれる指示ワードに対応する入力部を対象入力部として特定することができる。これにより、複数の入力部１４１〜１４５から対象入力部を特定する際の処理負荷の増大を抑制できるため、処理速度の向上、ひいてはユーザビリティの向上を図ることができる。
【００６５】
表示装置１は、音声情報に基づいて、複数のユーザから発話者を特定し、各ユーザに設けられた特定用データベース１３０を参照して、対象入力部を特定する。これにより、複数のユーザで表示装置１を使用する場合でも、ユーザに応じて適切な入力切換を実施することができ、ユーザビリティを向上できる。
【００６６】
表示装置１は、映像入力機器の機器情報を取得し、機器情報に基づいて特定用データベース１３０を更新する。このため、新たな映像入力機器が接続された場合でも、映像入力機器の機器情報を取得して、機器情報に応じて特定用データを更新することができる。
【００６７】
表示装置１は、対応付けデータベース３０を参照することにより、機器情報に対応する指示ワードを取得できる。したがって、指示ワードを手動で入力することなく特定用データベース１３０を更新することができ、ユーザビリティを向上できる。
【００６８】
［実施例２］
実施例２について図９を用いて説明する。
図９は、実施例２の表示装置１Ａを模式的に示す概略構成図である。
図９に示すように、表示装置１Ａは、音声入力部であるマイク１８を備え、かつ、対応付けデータベース３０を保持している点を除き、実施例１と略同様に構成される。したがって、実施例１と同様の部分についての説明は省略又は簡略化する。
【００６９】
表示装置１Ａは、マイク１８を備えており、スマートスピーカ２等の外部の音声入力機器を介することなく、ユーザの発話に対応する音声情報を取得可能である。また、表示装置１Ａは、記憶部１３に対応付けデータベース３０を保持しており、当該対応付けデータベース３０を参照して、特定用データベース１３０の自動更新を実施できる。なお、表示装置１Ａは、自動更新処理の際等の所定のタイミングや、所定期間の経過の度に、対応付けサーバ３と通信し、対応付けデータベース３０を更新してもよい。
【００７０】
実施例２の表示装置１Ａでは、音声入力機器やサーバ装置等の外部装置と通信することなく、独立して入力切換処理を実施することができる。したがって、切換処理や更新処理の際に、外部装置との通信による処理遅延の発生を抑制でき、高速での各処理を実施でき
る。
【００７１】
［実施例３］
実施例３について図１０を用いて説明する。
図１０は、ユーザ設定処理の設定画面の一例を模式的に示す図である。
実施例１では、ユーザ設定処理における自動更新処理を実施することにより、全ての映像入力機器について指示ワードを一括して更新していた。これに対して、実施例３では、映像入力機器のそれぞれについて更新処理を個別実施可能に構成されている点が相違する。なお、実施例３は、上記相違点を除き実施例１と略同様に構成されるため、実施例１と同様の部分についての説明は省略又は簡略化する。
【００７２】
図１０に示すように、個別設定画面６Ａは、機器情報６４と指示ワード６５が隣接して表示され、指示ワード６５の右側に個別更新ボタン６６が設定されている。個別更新ボタン６６は、各映像入力機器（各入力部１４）のそれぞれに対して個別に設定される。個別更新ボタン６６が選択されると、更新部１５５は、映像入力機器（入力部１４）の指示ワードの自動更新を、対応付けデータベース３０に基づいて行う。
【００７３】
実施例３の表示装置１では、特定用データベース１３０の自動更新を、各入力部（映像入力機器）について個別に行うことができる。このため、全ての入力部に対する更新を一括して実施する場合と比べて、処理負荷や対応付けサーバ３との通信量を低減できる。したがって、更新処理の高速化、ひいてはユーザビリティの向上を図ることができる。
【００７４】
［実施例４］
実施例４について図１１を用いて説明する。
図１１は、ユーザ設定処理の設定画面の一例を模式的に示す図である。
実施例３では、１つの対応付けデータベースに基づいて、各映像入力機器について個別に更新処理を実施していた。実施例４では、さらに、複数の対応付けデータベースに基づいて、各映像入力機器について個別に更新処理を実施可能に構成されている点が相違する。なお、実施例４は、上記相違点を除き実施例３と略同様に構成されるため、実施例３と同様の部分についての説明は省略又は簡略化する。
【００７５】
図１１に示すように、個別設定画面６Ｂは、複数の個別更新ボタン６６〜６９が設定されている。個別更新ボタン６６〜６９は、指示ワードの自動更新の指示を受け付けるものであり、互いに異なる対応付けデータベースを参照して指示ワードの自動更新処理を実施する。例えば、個別更新ボタン６６が選択されると、更新部１５５は、対応付けデータベース３０に基づいて、自動更新処理を実施する。また、個別更新ボタン６７が選択されると、更新部１５５は、対応付けデータベース３０とは異なる対応付けデータベース（図示省略）に基づいて自動更新処理を実施する。
【００７６】
複数の対応付けデータベースは、同一の対応付けサーバに保存されていてもよいし、異なる対応付けサーバに保存されていてもよい。また、実施例１のように一括して自動更新を実施する場合でも、複数の対応付けデータベースのそれぞれについて個別に更新ボタンを設定し、複数の対応付けデータベースを参照可能としてもよい。
【００７７】
実施例４の表示装置１では、特定用データベース１３０の自動更新を、複数の対応付けデータベースを参照して実施することができる。したがって、ユーザが参照する対応付けデータベースを選択することができ、ユーザの希望に沿った特定用データベースの構築も可能であり、ユーザビリティの向上を図ることができる。
【００７８】
［実施例５］
実施例５について図１２を用いて説明する。
図１２は、表示装置１を含む本実施例の表示システムを模式的に概略構成図である。
実施例５では、表示装置１にカメラ（撮像装置）４Ａが接続されている。表示装置１は、発話者が登録済みのユーザではない場合（図４のステップＳ２；ＮＯ）、切換部１５４は、カメラ４Ａを起動させ、カメラ４Ａへの切り換えを実施する。表示制御部１５１は、カメラ４Ａからの映像信号に基づく画像を表示部１１に表示させる。なお、この際、発話者が登録ユーザではない旨の報知情報を表示部１１に表示させてもよい。また、記憶部１３やＵＳＢ−ＨＤＤ等の録画再生機器に、カメラ４Ａの映像信号を記録してもよい。
【００７９】
実施例５の表示装置１は、発話者が登録済みのユーザではない場合に、カメラ４Ａからの入力に切り換え、カメラ４Ａからの映像信号に基づく画像を表示部１１に表示させる。未登録のユーザが不審者である場合、カメラ４Ａの入力に切り換えることにより、不審者に警告を与えることができる。また、カメラ４Ａからの映像信号を記録することにより、不審者の映像を保存することができる。以上から、本発明に係る音声による入力切換機能を用いてセキュリティの向上を図ることができる。
【００８０】
［変形例］
本発明に係る表示装置、テレビ受信装置及び表示方法は、上述の各実施例に限定されず、本発明の技術的思想の範囲内において、各種の変形や、各実施例の全部及び一部を組み合わせる等の変更によって得られる構成は本発明に含まれるものである。
【００８１】
上記各実施例では、表示装置は、音声情報に基づいて切換対象の入力部を特定し、特定結果に基づいて入力部を切り換える場合について詳細に説明したがこれに限定されない。例えば、表示装置の特定部は、音声情報に基づいて、複数の映像信号のうち表示対象の映像信号を特定し、切換部は、表示部に表示させる映像信号を、上記表示対象の映像信号に切り換える構成としてもよい。
上述の構成は、一つの入力部に複数の異なる映像信号が入力される場合、例えば、第１入力部１４１に接続されたテレビ放送受信用のアンテナから地上波及び衛星波のそれぞれに対応する信号が入力される場合に有効である。すなわち、複数の映像信号のそれぞれに対応する指示ワードを設定しておくことにより、ユーザは、指示ワードを発話するだけで、所望の映像信号に対応する映像を表示させることができ、ユーザビリティを向上させることができる。
【００８２】
ここで、同一の種別の映像入力機器に同一の指示ワードが対応付けられていることが考えられる。この場合、特定用データベースにおいては、異なる映像入力機器に同一の指示ワードを対応付けることはできず、エラーが発生する場合がある。したがって、上記各実施例において、同一の指示ワードが対応付けられた複数の映像入力機器が接続されている場合、自動更新処理の実施の際に、履歴情報に基づいて指示ワードを対応付けるようにしてもよい。例えば、指示ワード「ゲーム」に対応する複数のゲーム機が接続されている場合、履歴情報に基づいて、切換回数が最大の機器に指示ワード「ゲーム」を、その他の機器については別の指示ワード（例えば「ゲーム２」等）を対応付けるようにしてもよい。
【００８３】
上記各実施例では、表示装置１として、特定用データベース１３０を記憶部１３に記憶している構成を例示したが、これに限定されず、特定用データベース１３０の全部又は一部を外部装置に記憶させていてもよい。
【００８４】
各実施例において、制御部１５の各機能が、ＣＰＵを用いてソフトウェアによって実現されるとしたが、集積回路（ＩＣ（Integrated Circuit）チップ）等に形成された論理回路（ハードウェア）によって実現されてもよい。
【産業上の利用可能性】
【００８５】
本発明は、複数の映像信号が入力可能であり、複数の映像信号のうちの所望の映像信号への入力の切り換えを容易に行うことを可能とする表示装置、テレビ受信装置及び表示方法に関するものであり、産業上の利用可能性は高いと解する。
【符号の説明】
【００８６】
１、１Ａ  表示装置
２  スマートスピーカ
３  対応付けサーバ
４  映像入力機器
４Ａ  カメラ
５  機能設定画面
６、６Ａ、６Ｂ  個別設定画面
７  ネットワーク
１１  表示部
１２  通信部
１３  記憶部
１４  入力部
１５  制御部
１６  チューナ
１７  デコーダ
１８  マイク
３０  対応付けデータベース
５１  可否設定ボタン
５２  機器設定ボタン
５３  ユーザ選択ボタン
５４  追加登録ボタン
６１  更新ボタン
６２  履歴可否ボタン
６３  履歴削除ボタン
６４  機器情報
６５  指示ワード
６６〜６９  個別更新ボタン
１３０  特定用データベース
１３１  入力部名
１３２  入力名
１３３  指示ワード
１３４  機器情報
１３５  履歴情報
１４１〜１４５  第１〜第５入力部
１５１  表示制御部
１５２  音声情報取得部
１５３  特定部
１５４  切換部
１５５  更新部
１５６  設定部
６１１  自動更新ボタン
６１２  手動更新ボタン
【図１】
2019193134.tif 000003
【図２】
2019193134.tif 000004
【図３】
2019193134.tif 000005
【図４】
2019193134.tif 000006
【図５】
2019193134.tif 000007
【図６】
2019193134.tif 000008
【図７】
2019193134.tif 000009
【図８】
2019193134.tif 000010
【図９】
2019193134.tif 000011
【図１０】
2019193134.tif 000012
【図１１】
2019193134.tif 000013
【図１２】
2019193134.tif 000014